(57)【要約】【課題】ネットワーク接続された端末装置の指示による録画動作を本体側の操作手段により不用意に中断されることを防止し、かつ録画停止忘れ等の端末装置側の不注意による記録媒体やチューナー等の占有を防止し得るデータ記録再生装置を提供する。【解決手段】端末コマンド処理部の指示により、記録媒体に対してデータの記録及び再生が行われているときに、本体操作リモコンにより記録媒体の排出が指示された場合は、主コマンド処理部は端末コマンド処理部に警告を送信し（Ｓ７）、警告に応答して端末装置がイジェクト許可を示すメッセージを送信してきた場合のみ主コマンド処理部はイジェクトを実行する。【選択図】  図１
2004241935.tif 000002
【特許請求の範囲】
【請求項１】
装置本体に設けられ又は付随して該装置本体の動作を指示する主操作手段と、ネットワーク通信を介する端末手段との両方から、記録媒体に対してデータの記録及び／又は再生を行い得るデータ記録再生装置において、
上記主操作手段からの指示を処理して上記装置本体を制御する主コマンド処理手段と、
上記端末手段と通信を行うネットワーク接続手段と、
上記端末手段からのネットワーク接続手段を介した指示を処理して上記装置本体を制御する端末コマンド処理手段とを備え、
上記端末コマンド処理手段の指示により上記装置本体を制御しているときに、主操作手段から、該端末コマンド処理手段の指示による装置本体の制御の中断を伴う指示がなされた場合は、
上記主コマンド処理手段は上記端末コマンド処理手段に警告を送信するとともに、上記主コマンド処理手段からの警告を受けた端末コマンド処理手段はネットワーク接続手段を介して端末手段に上記警告を送信する一方、
上記主コマンド処理手段は、上記端末手段が上記端末コマンド処理手段からの警告に応答して端末コマンド処理手段を介した装置本体の制御の中断を許可するメッセージを送信してきた場合のみ、上記主操作手段からの指示を実行することを特徴とするデータ記録再生装置。
【請求項２】
前記記録媒体は、装置本体外に取り出し可能である一方、
前記端末コマンド処理手段の指示によって記録媒体に対してデータの記録及び／又は再生が行われているときに、前記主操作手段から上記記録媒体の排出が指示された場合は、
上記主コマンド処理手段は上記端末コマンド処理手段に警告を送信するとともに、上記主コマンド処理手段からの警告を受けた端末コマンド処理手段は前記ネットワーク接続手段を介して前記端末手段に上記警告を送信する一方、
上記主コマンド処理手段は、上記端末手段が上記端末コマンド処理手段からの警告に応答して記録媒体の排出を許可するメッセージを送信してきた場合のみ、上記記録媒体の排出を実行することを特徴とする請求項１記載のデータ記録再生装置。
【請求項３】
前記装置本体は、放送を受信するチューナーを備えるとともに、前記端末コマンド処理手段の制御によって上記チューナーにて受信したデータを記録媒体に記録する一方、
上記端末コマンド処理手段の指示により、記録媒体に対してチューナーにて受信したデータの記録が行われているときに、前記主操作手段からチューナーの選局チャンネルの変更が指示された場合は、
上記主コマンド処理手段は上記端末コマンド処理手段に警告を送信するとともに、上記主コマンド処理手段からの警告を受けた端末コマンド処理手段は前記ネットワーク接続手段を介して前記端末手段に上記警告を送信する一方、
上記主コマンド処理手段は、上記端末手段が上記端末コマンド処理手段からの警告に応答してチャンネル変更の許可を示すメッセージを送信してきた場合のみ、上記チャンネル変更を実行することを特徴とする請求項１記載のデータ記録再生装置。
【発明の詳細な説明】
【０００１】
【発明の属する技術分野】
本発明は、例えば、放送データを受信して記録媒体に記録するビデオ録画システムに適用されるデータ記録再生装置に関するものである。
【０００２】
【従来の技術】
近年、ハードディスク、光ディスク又は半導体メモリを記録媒体とする記録装置と放送データを受信するチューナーとを備えたビデオ録画システムの開発が盛んである。上記の記録装置はランダムアクセス性に優れ、略同時に複数のデータストリームを記録／再生できるので、録画しながらの再生や、同時に複数の番組を録画することが可能となる。
【０００３】
このようなビデオ録画システムでは、１台のビデオ録画システムを複数のユーザーがネットワーク回線を介して共有するシステムとなる場合がある。
【０００４】
例えば、上記のビデオ録画システムの例として、特許文献１には、ネットワーク接続されたＣＤ−Ｒ／ＲＷを共有するシステムが提案されている。
【０００５】
上記システムでは、ネットワーク接続されたＣＤ−Ｒ／ＲＷドライブを独占排他的に使用する手段が示されており、独占したＣＤ−Ｒ／ＲＷドライブは独占権がない限りＣＤ−Ｒ／ＲＷドライブを使用できないようになっている。
【０００６】
一方、単一ユーザーでビデオ録画システムを使用する場合であっても、液晶ディスプレイ等の薄型ディスプレイが主流になりつつある近年、ビデオ録画システム等の容積の大きい装置は、ユーザーがビデオ等を視聴する場所から離れた場所に設置され、ネットワーク等の通信手段を介してビデオ録画システムを制御する場合がある。このような場合、ビデオ録画システムを主に制御するのは通信手段で接続されたディスプレイ側、すなわち端末装置側となる。
【０００７】
しかしながら、このような使用方法を想定した場合においても、システム本体の操作ボタン等やシステム本体に付随しているリモコンによるビデオ録画システムの制御が必要となる場合も生じる。
【０００８】
したがって、端末装置にてネットワーク等の通信手段を介してシステム本体を制御する場合であっても、システム本体の操作ボタン等によるビデオ録画システムの制御が利かなくなるのは好ましくない。
【０００９】
【特許文献１】
特開２０００−２０７１３８号公報（平成１２年７月２８日公開）
【００１０】
【発明が解決しようとする課題】
一方、上記従来のデータ記録再生装置では、端末装置側がメインとなってビデオ録画システムを制御している際に、システム本体の操作ボタン等によりビデオ録画システムを制御すると、端末装置側が指示した処理が中断するという問題点を有している。
【００１１】
例えば、光ディスクやリムーバブルハードディスク等の排出可能な記録媒体に対して、電波等を用いた放送データを、チューナーを用いて受信し、記録（録画）する動作を端末装置側の指示にて行っているときに、システム本体側に備えられている、記録媒体を排出するイジェクトボタンが押された場合、記録動作が中断してしまう。
【００１２】
また、同様に、システム本体側の操作ボタンによりチューナーの選局チャンネルを変更した場合、端末側の所望するチャンネルと別のチャンネルのデータが記録されてしまう。
【００１３】
なお、前記特許文献１のビデオ録画システムにおいては、上記の問題を解決することができない。なぜなら、特許文献１では、上記問題の場合には、端末装置から１台のＣＤ−Ｒドライブを制御する１ユーザーが当該１台のＣＤ−Ｒドライブを完全に占有してしまうため、例えば、端末装置のユーザーが録画操作をしたまま忘れている場合等には、他の全ての操作が不能となり、ユーザーの利便性が損なわれる。
【００１４】
本発明は、上記従来の問題点に鑑みなされたものであって、その目的は、ネットワーク接続された端末装置の指示によるデータ記録再生動作を、記録再生装置本体側の主操作手段により不用意に中断されることを防止するとともに、端末装置による記録媒体やチューナー等の占有を防止し得るデータ記録再生装置を提供することにある。
【００１５】
【課題を解決するための手段】
本発明のデータ記録再生装置は、上記課題を解決するために、装置本体に設けられ又は付随して該装置本体の動作を指示する主操作手段と、ネットワーク通信を介する端末手段との両方から、記録媒体に対してデータの記録及び／又は再生を行い得るデータ記録再生装置において、上記主操作手段からの指示を処理して上記装置本体を制御する主コマンド処理手段と、上記端末手段と通信を行うネットワーク接続手段と、上記端末手段からのネットワーク接続手段を介した指示を処理して上記装置本体を制御する端末コマンド処理手段とを備え、上記端末コマンド処理手段の指示により上記装置本体を制御しているときに、主操作手段から、該端末コマンド処理手段の指示による装置本体の制御の中断を伴う指示がなされた場合は、上記主コマンド処理手段は上記端末コマンド処理手段に警告を送信するとともに、上記主コマンド処理手段からの警告を受けた端末コマンド処理手段はネットワーク接続手段を介して端末手段に上記警告を送信する一方、上記主コマンド処理手段は、上記端末手段が上記端末コマンド処理手段からの警告に応答して端末コマンド処理手段を介した装置本体の制御の中断を許可するメッセージを送信してきた場合のみ、上記主操作手段からの指示を実行することを特徴としている。
【００１６】
上記の発明によれば、端末コマンド処理手段の指示により上記装置本体を制御しているときに、主操作手段から、該端末コマンド処理手段の指示による装置本体の制御の中断を伴う指示がなされた場合は、まず、主コマンド処理手段は上記端末コマンド処理手段に警告を送信する。そして、主コマンド処理手段からの警告を受けた端末コマンド処理手段はネットワーク接続手段を介して端末手段に上記警告を送信する。
【００１７】
このため、端末手段は、該端末手段から指示による端末コマンド処理手段を介しての装置本体の制御に対して、中断が入る旨を知ることができる。
【００１８】
このとき、端末手段は、中断が入っても良い場合には、端末コマンド処理手段からの警告に応答して端末コマンド処理手段を介した装置本体の制御の中断を許可するメッセージを送信する。
【００１９】
そして、主コマンド処理手段は、端末手段が上記端末コマンド処理手段からの警告に応答して端末コマンド処理手段を介した装置本体の制御の中断を許可するメッセージを送信してきた場合のみ、上記主操作手段からの指示を実行する。
【００２０】
この結果、端末手段は、該端末手段からの指示に基く装置本体での制御に中断が入ることを予め知ることができるので、装置本体側の主操作手段により不用意に中断されることを防止することができる。
【００２１】
また、端末手段の指示による端末コマンド処理手段を介しての装置本体の制御であっても、装置本体は割り込み処理を行うことができるので、端末手段側に装置本体の制御の独占を許すものではない。
【００２２】
したがって、ネットワーク接続された端末手段の指示によるデータ記録再生動作を、記録再生装置本体側の主操作手段により不用意に中断されることを防止するとともに、端末手段による記録媒体やチューナー等の占有を防止し得るデータ記録再生装置を提供することができる。
【００２３】
また、本発明のデータ記録再生装置は、上記記載のデータ記録再生装置において、前記記録媒体は、装置本体外に取り出し可能である一方、前記端末コマンド処理手段の指示によって記録媒体に対してデータの記録及び／又は再生が行われているときに、前記主操作手段から上記記録媒体の排出が指示された場合は、上記主コマンド処理手段は上記端末コマンド処理手段に警告を送信するとともに、上記主コマンド処理手段からの警告を受けた端末コマンド処理手段は前記ネットワーク接続手段を介して前記端末手段に上記警告を送信する一方、上記主コマンド処理手段は、上記端末手段が上記端末コマンド処理手段からの警告に応答して記録媒体の排出を許可するメッセージを送信してきた場合のみ、上記記録媒体の排出を実行することを特徴としている。
【００２４】
上記の発明によれば、端末コマンド処理手段の指示によって記録媒体に対してデータの記録及び／又は再生が行われているときに、前記主操作手段から上記記録媒体の排出が指示された場合は、上記主コマンド処理手段は上記端末コマンド処理手段に警告を送信する。さらに、主コマンド処理手段からの警告を受けた端末コマンド処理手段は前記ネットワーク接続手段を介して端末手段に上記警告を送信する。
【００２５】
このため、端末手段は、該端末手段からの指示により端末コマンド処理手段を介して記録媒体に対してデータの記録及び／又は再生をしているときに、記録媒体が排出されることを把握することができる。
【００２６】
このとき、端末手段は、記録媒体を排出しても良い場合には、端末コマンド処理手段からの警告に応答して、記録媒体の排出を許可するメッセージを送信する。
【００２７】
そして、主コマンド処理手段は、端末手段が上記端末コマンド処理手段からの警告に応答して記録媒体の排出を許可するメッセージを送信してきた場合のみ、記録媒体の排出を実行する。
【００２８】
この結果、端末手段は、該端末手段からの指示に基いて記録媒体に対してデータの記録及び／又は再生をしているときに、記録媒体が排出されることを予め知ることができるので、装置本体側の主操作手段により不用意に記録媒体が排出されることを防止することができる。
【００２９】
また、端末手段の指示による端末コマンド処理手段を介しての記録媒体に対するデータの記録及び／又は再生であっても、装置本体は記録媒体の排出を行うことができるので、端末手段側に対して記録媒体のデータの記録及び／又は再生の独占を許すものではない。
【００３０】
したがって、ネットワーク接続された端末手段の指示によるデータ記録再生動作を、記録媒体の排出により不用意に中断されることを防止するとともに、端末手段による記録媒体の占有を防止し得るデータ記録再生装置を提供することができる。
【００３１】
また、本発明のデータ記録再生装置は、上記記載のデータ記録再生装置において、前記装置本体は、放送を受信するチューナーを備えるとともに、前記端末コマンド処理手段の制御によって上記チューナーにて受信したデータを記録媒体に記録する一方、上記端末コマンド処理手段の指示により、記録媒体に対してチューナーにて受信したデータの記録が行われているときに、前記主操作手段からチューナーの選局チャンネルの変更が指示された場合は、上記主コマンド処理手段は上記端末コマンド処理手段に警告を送信するとともに、上記主コマンド処理手段からの警告を受けた端末コマンド処理手段は前記ネットワーク接続手段を介して前記端末手段に上記警告を送信する一方、上記主コマンド処理手段は、上記端末手段が上記端末コマンド処理手段からの警告に応答してチャンネル変更の許可を示すメッセージを送信してきた場合のみ、上記チャンネル変更を実行することを特徴としている。
【００３２】
上記の発明によれば、端末コマンド処理手段の指示により、記録媒体に対してチューナーにて受信したデータの記録が行われているときに、主操作手段からチューナーの選局チャンネルの変更が指示された場合は、主コマンド処理手段は上記端末コマンド処理手段に警告を送信する。また、主コマンド処理手段からの警告を受けた端末コマンド処理手段はネットワーク接続手段を介して前記端末手段に上記警告を送信する。
【００３３】
このため、端末手段は、該端末手段からの指示による端末コマンド処理手段を介しての記録媒体へのチューナーにて受信したデータの記録に対して、チューナーの選局チャンネルの変更が把握できる。
【００３４】
このとき、端末手段は、チューナーの選局チャンネルを変更しても良い場合には、端末コマンド処理手段からの警告に応答して、チャンネル変更の許可を示すメッセージを送信する。
【００３５】
そして、主コマンド処理手段は、端末手段が上記端末コマンド処理手段からの警告に応答してチャンネル変更の許可を示すメッセージを送信してきた場合のみ、上記主操作手段からのチャンネル変更を実行する。
【００３６】
この結果、端末手段は、該端末手段からの指示に基いて記録媒体に対してチューナー受信データの記録をしているときに、チューナーの選局チャンネルが変更されることを予め知ることができるので、装置本体側の主操作手段により不用意にチューナーの選局チャンネルが変更されることを防止することができる。
【００３７】
また、端末手段の指示による端末コマンド処理手段を介しての記録媒体に対するチューナー受信データの記録であっても、装置本体はチューナーの選局チャンネルが変更を行うことができるので、端末手段側に記録媒体に対するチューナー受信データの記録の独占を許すものではない。
【００３８】
したがって、ネットワーク接続された端末手段の指示による記録媒体に対してのチューナー受信データの記録が不用意に中断されることを防止するとともに、端末手段によるチューナーの占有を防止し得るデータ記録再生装置を提供することができる。
【００３９】
【発明の実施の形態】
本発明の実施の一形態について図１ないし図７に基づいて説明すれば、以下の通りである。
【００４０】
本実施の形態のデータ記録再生装置としてのビデオ録画再生システムは、図２に示すように、光ディスクドライブ１、主コマンド処理手段としての主コマンド処理部２、端末コマンド処理手段としての端末コマンド処理部３、ネットワーク接続手段としてのネットワーク接続部４、チューナーとしての地上波テレビチューナー５及び／又はＢＳテレビチューナー６、動画音声データ生成部７、主操作手段としての本体操作リモコン８、モニター９、端末手段としての端末装置１０、及び端末装置操作リモコン１１から構成される。なお、上記主操作手段としての本体操作リモコン８は、装置本体に付随するものであるが、主操作手段は必ずしもこれに限らず、図示しないが、装置本体に設けられているものであってもよい。
【００４１】
上記光ディスクドライブ１は、例えば、ＤＶＤ−Ｒ、ＤＶＤ−ＲＡＭ、ＤＶＤ−ＲＷ等の取り出し可能な記録媒体１２への情報の記録を少なくとも行う機能を有する。通常は、上記記録媒体１２に記録された情報の再生を行う機能、さらには、ＣＤ−ＲＯＭ等の他のフォーマットで記録された記録媒体の再生を行う機能を有している場合が多い。
【００４２】
上記構成のビデオ録画再生システムにおいては、例えば、第１のユーザーが本体操作リモコン８によって地上波テレビのＢチャンネルの録画を指示した場合、主コマンド処理部２は地上波テレビチューナー５を制御してＢチャンネルを選局し、動画音声データ生成部７を制御してＢチャンネルの動画音声データを光ディスクドライブ１に出力し、モニター９にもＢチャンネルの動画音声データを出力する。また、同時に光ディスクドライブ１を制御して動画音声データ生成部７の出力するＢチャンネルの動画音声データを記録媒体１２に記録（録画）する。
【００４３】
次に、例えば、第２のユーザーが、端末装置操作リモコン１１によりＢＳ放送のＢＳ−Ａチャンネルの録画を指示した場合、端末装置１０はネットワークを介してＢＳ−Ａチャンネルの録画を指示するコマンドをビデオ録画システム１３に送信する。ネットワーク接続部４が受信したＢＳ−Ａチャンネルの録画を指示するコマンドを受けた端末コマンド処理部３は、該コマンドを解釈して本体操作リモコン８の送信コードと同様の内部コードに変換し、主コマンド処理部２に送信する。
【００４４】
このコードを受信した主コマンド処理部２は、ＢＳテレビチューナー６を制御してＢＳ−Ａチャンネルを選局し、動画音声データ生成部７を制御して現在流れている地上波Ｂチャンネルのデータと合わせてＢＳ−Ａチャンネルの動画音声データを光ディスクドライブ１に出力し、同時に光ディスクドライブ１を制御して動画音声データ生成部７の出力する地上波ＡチャンネルとＢＳ−Ａチャンネルの動画音声データとを記録媒体１２に記録（録画）する。
【００４５】
上記の状態で、第１のユーザーが本体操作リモコン８により記録媒体１２のイジェクト（装置外部への取り出し）を指示するコードを送信した場合の動作を説明する。
【００４６】
該イジェクトコードを受信した主コマンド処理部２は光ディスクドライブ１が端末コマンド処理部３から指示された記録動作を実行中であることを把握しているのですぐにイジェクトを光ディスクドライブに指示せず、動画音声データ生成部７を制御して、「記録媒体１２を端末装置１０が使用中でイジェクトの可否を問い合わせ中」であることをモニター９に表示し、同時に、端末コマンド処理部３にイジェクト警告メッセージを送信する。
【００４７】
上記イジェクト警告メッセージを受けた端末コマンド処理部３は、ネットワーク接続部４を介して端末装置１０にイジェクト警告メッセージを送信する。イジェクト警告メッセージを受信した端末装置１０は、端末ディスプレイにイジェクト警告メッセージを受信したことを第２のユーザーに伝えるダイアログを表示し、第２のユーザーの応答を待つ。このとき、第２のユーザーが「イジェクト拒否」の応答をした場合は、端末装置１０はイジェクト拒否を示すメッセージをネットワークを介してビデオ録画再生システム１３に送信する。
【００４８】
ネットワーク接続部４によりイジェクト拒否メッセージを受信した端末コマンド処理部３は、主コマンド処理部２に拒否ダイアログ表示コマンドを送信する。
【００４９】
拒否ダイアログ表示コマンドを受信した主コマンド処理部２は、動画音声データ生成部７を制御して端末装置１０がイジェクトを拒否したのでイジェクトできないことをモニター９に表示し、本体操作リモコン８を操作した第１のユーザーに知らせる。
【００５０】
また、第２のユーザーが録画操作をしたまま忘れていた等の理由で録画の必要なしと判断し、イジェクト許可の応答をした場合は、端末装置１０はイジェクト許可を示すメッセージを、ネットワークを介してビデオ録画再生システム１３に送信する。ネットワーク接続部４を介してイジェクト許可メッセージを受信した端末コマンド処理部３は、主コマンド処理部にイジェクトコマンドを送信する。
【００５１】
イジェクトコマンドを受信した主コマンド処理部２は、光ディスクドライブ１を制御して全ての記録動作を終了して記録媒体１２を排出する。
【００５２】
次に、第２のユーザーによりＢＳテレビのチャンネルＢＳ−Ａが録画中である上記の状態で、第１のユーザーが本体操作リモコン８により選局チャンネルをＢＳテレビのチャンネルＢＳ−Ｂに変更を指示する選局変更コードを送信した場合の動作を説明する。
【００５３】
上記選局変更コードを受信した主コマンド処理部２は、光ディスクドライブ１が端末コマンド処理部３から指示されてＢＳ−Ａチャンネルの動画音声データの記録動作を実行中であることを把握しているので、直ぐには選局チャンネルの変更をＢＳテレビチューナー６に指示せずに、動画音声データ生成部７を制御して「ＢＳテレビチューナー６を端末装置１０が使用中でチャンネル変更の可否を問い合わせ中」であることをモニター９に表示し、同時に、端末コマンド処理部３にチャンネル変更警告メッセージを送信する。
【００５４】
上記チャンネル変更警告メッセージを受けた端末コマンド処理部３は、ネットワーク接続部４を介して端末装置１０にチャンネル変更警告メッセージを送信する。チャンネル変更警告メッセージを受信した端末装置１０は、ディスプレイにチャンネル変更警告メッセージを受信したことを第２のユーザーに伝えるダイアログを表示し、第２のユーザーの応答を待つ。このとき、第２のユーザーが「チャンネル変更拒否」の応答をした場合は、端末装置１０は、チャンネル変更拒否を示すメッセージを、ネットワークを介してビデオ録画再生システムに送信する。ネットワーク接続部４によりチャンネル変更拒否メッセージを受信した端末コマンド処理部３は、主コマンド処理部２にチャンネル変更拒否ダイアログ表示コマンドを送信する。チャンネル変更拒否ダイアログ表示コマンドを受信した主コマンド処理部２は、動画音声データ生成部７を制御して端末装置１０がチャンネル変更を拒否したのでチャンネル変更できないことをモニター９に表示し、本体操作リモコン８を操作した第１のユーザーに知らせる。
【００５５】
また、第２のユーザーが録画操作をしたまま忘れていた等の理由でチャンネルＢＳ−Ａの録画の必要なしと判断し、チャンネル変更許可の応答をした場合は、端末装置１０は、チャンネル変更許可を示すメッセージを、ネットワークを介してビデオ録画再生システム１３に送信する。ネットワーク接続部４を介してチャンネル変更許可メッセージを受信した端末コマンド処理部３は、主コマンド処理部にチャンネル変更コマンドを送信する。チャンネル変更コマンドを受信した主コマンド処理部２は、ＢＳテレビチューナー６を制御してＢＳ−Ｂチャンネルに選局し、同時に動画音声データ生成部７を制御してＢＳ−Ｂチャンネルの動画音声データを光ディスクドライブ１及びモニター９に出力する。
【００５６】
次に、上記の動作を説明するために主コマンド処理部２及び端末コマンド処理部３の動作についてフローチャートを用いて説明する。
【００５７】
まず、主コマンド処理部２の動作を、図１、図３及び図４のフローチャートを用いて説明する。
【００５８】
図１に示すように、主コマンド処理部２はコマンド受信待ち状態からコマンド受信を検出するとそのコマンドが本体操作リモコン８からのものか、端末コマンド処理部３からのものかを判断し（Ｓ１）、本体操作リモコン８以外であれば端子Ａ１に分岐する（Ｓ２）。
【００５９】
一方、Ｓ１において、本体操作リモコン８からのものであった場合、まず、そのコマンドがイジェクトコマンドであるか否かを判定する（Ｓ３）。そのコマンドがイジェクトコマンドでなかった場合、端子Ａ２に分岐する（Ｓ４）。
【００６０】
Ｓ３において、そのコマンドがイジェクトコマンドであった場合、記録媒体１２を端末コマンド処理部３からのコマンドにより使用中であるか否かを判定し（Ｓ５）、使用中でなければ光ディスクドライブ１に対してイジェクトの指示を行う（Ｓ６）。
【００６１】
Ｓ５において、記録媒体１２を端末コマンド処理部３からコマンドにより使用中であれば、端末コマンド処理部３にイジェクト警告メッセージを出力し（Ｓ７）、動画音声データ生成部７に「イジェクト許可待ち」表示を指示し（Ｓ８）、コマンド受信待ちに戻る。
【００６２】
次に、端子Ａ１に分岐した場合について、図３のフローチャートを用いて説明する。
【００６３】
同図に示すように、端子Ａ１に分岐した場合は、受信したコマンドが端末コマンド処理部３からのものであることを示しているので、そのコマンドが警告メッセージに対する拒否メッセージか又は通常のコマンドであるのかを判定する（Ｓ１１）。
【００６４】
ここで、通常のコマンドの場合は当該コマンドを実行し（Ｓ１２）、拒否メッセージであった場合は動画音声データ生成部７に「拒否表示」指示を行う（Ｓ１３）。
【００６５】
次に、Ａ２端子に分岐した場合について、図４のフローチャートを用いて説明する。
【００６６】
同図に示すように、Ａ２端子に分岐した場合は、受信したコマンドが本体操作リモコン８からの送信されたもので、かつイジェクトコマンドではないことを示しているので、まず、そのコマンドがチャンネル変更コマンドであるか否かを判定する（Ｓ２１）。ここで、チャンネル変更コマンドではなくボリュームの上げ下げ、画質調整等のコマンドであった場合は当該コマンドを実行する（Ｓ２２）。
【００６７】
一方、Ｓ２１において、チャンネル変更コマンドであった場合は、当該チューナーを端末コマンド処理部３からのコマンドにより使用中か否かを判定する（Ｓ２３）。
【００６８】
ここで、当該チューナーが使用されていなければ、当該チューナーにチャンネル変更指示を行い（Ｓ２４）、使用中であれば、端末コマンド処理部３にチャンネル変更警告メッセージを出力し（Ｓ２５）、動画音声データ生成部７に「チャンネル変更許可待ち」表示を指示するコマンドを出力する（Ｓ２６）。
【００６９】
次に、端末コマンド処理部３の動作を、図５〜図７のフローチャートを用いて説明する。
【００７０】
図５に示すように、端末コマンド処理部３は、コマンド受信待ち状態からコマンド受信を検出すると、そのコマンドが主コマンド処理部２からのものか、或いはネットワーク接続部４を介した端末装置１０からのものかを判定し（Ｓ３１）、端末装置１０からのものであれば端子Ｂ１に分岐する（Ｓ３２）。
【００７１】
一方、Ｓ３１において、主コマンド処理部２からのコマンドであれば、イジェクト警告であるか否かを判定する（Ｓ３３）。ここで、イジェクト警告であれば、端末装置１０にイジェクト警告メッセージを、ネットワーク接続部４を介して出力する（Ｓ３４）。
【００７２】
一方、Ｓ３３において、イジェクト警告ではなく、チャンネル変更警告であれば、半導体メモリで構成される記憶部に変更チャンネルを記録し（Ｓ３５）、端末装置１０にチャンネル変更警告メッセージを、ネットワーク接続部４を介して送信する（Ｓ３６）。
【００７３】
次に、Ｂ１端子に分岐した場合を、図６のフローチャートを用いて説明する。
【００７４】
同図に示すように、Ｂ１端子に分岐した場合は、受信したコマンドがネットワーク接続部４を介した端末装置１０からのコマンドであることを示しているので、まず、そのコマンドが警告メッセージに対する許可応答なのか拒否応答なのか又は通常のコマンドなのかを判定する（Ｓ４１）。許可応答であれば、Ｂ２端子に分岐し（Ｓ４２）、通常コマンドであれば、該コマンドを内部コードに変換して主コマンド処理部２に送信し（Ｓ４３）、コマンド受信待ちに戻る。
【００７５】
また、Ｓ４１において、拒否応答である場合は、イジェクト警告に対する拒否応答か否かを判定し（Ｓ４４）、イジェクト警告に対する拒否応答であれば主コマンド処理部２にイジェクト拒否メッセージを出力する（Ｓ４５）。
【００７６】
一方、Ｓ４４において、イジェクト警告に対する拒否応答ではなく、チャンネル変更警告に対する拒否応答であった場合は、主コマンド処理部２にチャンネル変更拒否メッセージを送信し（Ｓ４６）、コマンド受信待ちに戻る。
【００７７】
次に、Ｂ２端子に分岐した場合について、図７のフローチャートを用いて説明する。
【００７８】
同図に示すように、Ｂ２端子に分岐した場合は、端末装置１０からのコマンドが警告メッセージに対する許可応答であることを示しているので、その許可応答がイジェクト警告に対する許可応答か否かを判定し（Ｓ５１）、イジェクト警告に対する許可応答であった場合は主コマンド処理部２にイジェクトコマンドを出力し（Ｓ５２）、コマンド受信待ち状態に戻る。
【００７９】
一方、Ｓ５１において、イジェクト警告に対する許可応答ではなくチャンネル変更警告に対する許可応答であった場合は、先に記憶したチャンネルへの変更コマンドを主コマンド処理部２に出力し（Ｓ５２）、コマンド受信待ち状態に戻る。
【００８０】
この結果、本実施の形態のビデオ録画再生システムを用いれば、端末装置１０が使用中の記録媒体１２を本体側で不用意に排出してしまうことを防ぐことができる。
【００８１】
また、端末装置１０が使用中の地上波テレビチューナー５及び／又はＢＳテレビチューナー６を本体側で不用意に変更してしまうことを防ぐことができる。
【００８２】
また、端末装置１０に対して記録媒体１２の排出、チューナーの選局チャンネルの変更許可を求め、許可されれば排出及び選局チャンネルの変更を行うことができるので、端末装置１０側が録画操作をしたまま忘れていたり、地上波テレビチューナー５及び／又はＢＳテレビチューナー６に選局指示をしたまま忘れていたりした場合でも、端末装置１０側の許可があれば記録媒体１２の排出や選局チャンネルの変更を行うことが可能となる。
【００８３】
なお、上述の説明では、録画することについての説明を行ったが、再生の場合にでも適用できる。すなわち、例えば、端末装置１０の指示により、ビデオを再生しているときに、本体側で不用意にスイッチオフすることを防止できる。
【００８４】
このように、本実施の形態のビデオ録画再生システムでは、端末コマンド処理部３の指示により装置本体を制御しているときに、本体操作リモコン８から、端末コマンド処理部３の指示による装置本体の制御の中断を伴う指示がなされた場合は、まず、主コマンド処理部２は端末コマンド処理部３に警告を送信する。そして、主コマンド処理部２からの警告を受けた端末コマンド処理部３はネットワーク接続部４を介して端末装置１０に警告を送信する。
【００８５】
このため、端末装置１０は、該端末装置１０からの指示による端末コマンド処理部３を介しての装置本体の制御に対して、中断が入る旨を知ることができる。
【００８６】
このとき、端末装置１０は、中断が入っても良い場合には、端末コマンド処理部３からの警告に応答して端末コマンド処理部３を介した装置本体の制御の中断を許可するメッセージを送信する。
【００８７】
そして、主コマンド処理部２は、端末装置１０が端末コマンド処理部３からの警告に応答して端末コマンド処理部３を介した装置本体の制御の中断を許可するメッセージを送信してきた場合のみ、本体操作リモコン８からの指示を実行する。
【００８８】
この結果、端末装置１０は、該端末装置１０からの指示に基く装置本体での制御に中断が入ることを予め知ることができるので、装置本体側の本体操作リモコン８により不用意に中断されることを防止することができる。
【００８９】
また、端末装置１０からの端末コマンド処理部３の指示による装置本体の制御であっても、装置本体は割り込み処理を行うことができるので、端末装置１０側に装置本体の制御の独占を許すものではない。
【００９０】
したがって、ネットワーク接続された端末装置１０の指示によるデータ記録再生動作を、ビデオ録画再生システム本体側の本体操作リモコン８により不用意に中断されることを防止するとともに、端末装置１０による記録媒体１２や地上波テレビチューナー５及び／又はＢＳテレビチューナー６等の占有を防止し得るビデオ録画再生システムを提供することができる。
【００９１】
また、本実施の形態のビデオ録画再生システムでは、端末コマンド処理部３の指示によって記録媒体１２に対してデータの記録及び／又は再生が行われているときに、本体操作リモコン８から記録媒体１２のイジェクトが指示された場合は、主コマンド処理部２は端末コマンド処理部３に警告を送信する。さらに、主コマンド処理部２からの警告を受けた端末コマンド処理部３はネットワーク接続部４を介して端末装置１０に警告を送信する。
【００９２】
このため、端末装置１０は、該端末装置１０からの指示により端末コマンド処理部３を介して記録媒体１２に対してデータの記録及び／又は再生をしているときに、記録媒体１２が排出されることを把握することができる。
【００９３】
このとき、端末装置１０は、記録媒体１２を排出しても良い場合には、端末コマンド処理部３からの警告に応答して、記録媒体１２の排出を許可するメッセージを送信する。
【００９４】
そして、主コマンド処理部２は、端末装置１０が端末コマンド処理部３からの警告に応答して記録媒体１２の排出を許可するメッセージを送信してきた場合のみ、記録媒体１２の排出を実行する。
【００９５】
この結果、端末装置１０は、該端末装置１０からの指示に基いて記録媒体１２に対してデータの記録及び／又は再生をしているときに、記録媒体１２が排出されることを予め知ることができるので、装置本体側の本体操作リモコン８により不用意に記録媒体１２が排出されることを防止することができる。
【００９６】
また、端末装置１０の指示による端末コマンド処理部３を介しての記録媒体に対するデータの記録及び／又は再生であっても、装置本体は記録媒体１２の排出を行うことができるので、端末装置１０側に対して記録媒体１２のデータの記録及び／又は再生の独占を許すものではない。
【００９７】
したがって、ネットワーク接続された端末装置１０の指示によるデータ記録再生動作を、記録媒体１２の排出により不用意に中断されることを防止するとともに、端末装置１０による記録媒体１２の占有を防止し得るビデオ録画再生システムを提供することができる。
【００９８】
また、本実施の形態のビデオ録画再生システムでは、端末コマンド処理部３の指示により、記録媒体１２に対して地上波テレビチューナー５及び／又はＢＳテレビチューナー６にて受信したデータの記録が行われているときに、主コマンド処理部２から地上波テレビチューナー５及び／又はＢＳテレビチューナー６のチャンネルの変更が指示された場合は、主コマンド処理部２は端末コマンド処理部３に警告を送信する。また、主コマンド処理部２からの警告を受けた端末コマンド処理部３はネットワーク接続部４を介して端末装置１０に警告を送信する。
【００９９】
このため、端末装置１０は、該端末装置１０からの指示による端末コマンド処理部３を介しての記録媒体１２への地上波テレビチューナー５及び／又はＢＳテレビチューナー６にて受信したデータの記録に対して、地上波テレビチューナー５及び／又はＢＳテレビチューナー６の選局チャンネルの変更が把握できる。
【０１００】
このとき、端末装置１０は、地上波テレビチューナー５及び／又はＢＳテレビチューナー６の選局チャンネルを変更しても良い場合には、端末コマンド処理部３からの警告に応答して、チャンネル変更の許可を示すメッセージを送信する。
【０１０１】
そして、主コマンド処理部２は、端末装置１０が端末コマンド処理部３からの警告に応答してチャンネル変更の許可を示すメッセージを送信してきた場合のみ、本体操作リモコン８からのチャンネル変更を実行する。
【０１０２】
この結果、端末装置１０は、該端末装置１０からの指示に基いて記録媒体１２に対してチューナー受信データの記録をしているときに、地上波テレビチューナー５及び／又はＢＳテレビチューナー６の選局チャンネルが変更されることを予め知ることができるので、装置本体側の本体操作リモコン８により不用意に地上波テレビチューナー５及び／又はＢＳテレビチューナー６の選局チャンネルが変更されることを防止することができる。
【０１０３】
また、端末装置１０の指示による端末コマンド処理部３を介しての記録媒体１２に対するチューナー受信データの記録であっても、装置本体は地上波テレビチューナー５及び／又はＢＳテレビチューナー６の選局チャンネルが変更を行うことができるので、端末装置１０側に記録媒体１２に対するチューナー受信データの記録の独占を許すものではない。
【０１０４】
したがって、ネットワーク接続された端末装置１０の指示による記録媒体１２に対してのチューナー受信データの記録が不用意に中断されることを防止するとともに、端末装置１０による地上波テレビチューナー５及び／又はＢＳテレビチューナー６の占有を防止し得るビデオ録画再生システムを提供することができる。
【０１０５】
【発明の効果】
本発明のデータ記録再生装置は、以上のように、主操作手段からの指示を処理して上記装置本体を制御する主コマンド処理手段と、上記端末手段と通信を行うネットワーク接続手段と、上記端末手段からのネットワーク接続手段を介した指示を処理して上記装置本体を制御する端末コマンド処理手段とを備え、上記端末コマンド処理手段の指示により上記装置本体を制御しているときに、主操作手段から、該端末コマンド処理手段の指示による装置本体の制御の中断を伴う指示がなされた場合は、上記主コマンド処理手段は上記端末コマンド処理手段に警告を送信するとともに、上記主コマンド処理手段からの警告を受けた端末コマンド処理手段はネットワーク接続手段を介して端末手段に上記警告を送信する一方、上記主コマンド処理手段は、上記端末手段が上記端末コマンド処理手段からの警告に応答して端末コマンド処理手段を介した装置本体の制御の中断を許可するメッセージを送信してきた場合のみ、上記主操作手段からの指示を実行するものである。
【０１０６】
それゆえ、端末手段は、該端末手段から指示による端末コマンド処理手段を介しての装置本体の制御に対して、中断が入る旨を知ることができる。また、主コマンド処理手段は、端末手段が上記端末コマンド処理手段からの警告に応答して端末コマンド処理手段を介した装置本体の制御の中断を許可するメッセージを送信してきた場合のみ、上記主操作手段からの指示を実行する。
【０１０７】
この結果、端末手段は、装置本体側の主操作手段により不用意に中断されることを防止することができる。
【０１０８】
また、端末手段の指示による端末コマンド処理手段を介しての装置本体の制御であっても、装置本体は割り込み処理を行うことができるので、端末手段側に装置本体の制御の独占を許すものではない。
【０１０９】
したがって、ネットワーク接続された端末手段の指示によるデータ記録再生動作を、記録再生装置本体側の主操作手段により不用意に中断されることを防止するとともに、端末手段による記録媒体やチューナー等の占有を防止し得るデータ記録再生装置を提供することができるという効果を奏する。
【０１１０】
また、本発明のデータ記録再生装置は、上記記載のデータ記録再生装置において、前記記録媒体は、装置本体外に取り出し可能である一方、前記端末コマンド処理手段の指示によって記録媒体に対してデータの記録及び／又は再生が行われているときに、前記主操作手段から上記記録媒体の排出が指示された場合は、上記主コマンド処理手段は上記端末コマンド処理手段に警告を送信するとともに、上記主コマンド処理手段からの警告を受けた端末コマンド処理手段は前記ネットワーク接続手段を介して前記端末手段に上記警告を送信する一方、上記主コマンド処理手段は、上記端末手段が上記端末コマンド処理手段からの警告に応答して記録媒体の排出を許可するメッセージを送信してきた場合のみ、上記記録媒体の排出を実行するものである。
【０１１１】
それゆえ、端末手段は、該端末手段からの指示により端末コマンド処理手段を介して記録媒体に対してデータの記録及び／又は再生をしているときに、記録媒体が排出されることを把握することができる。また、主コマンド処理手段は、端末手段が上記端末コマンド処理手段からの警告に応答して記録媒体の排出を許可するメッセージを送信してきた場合のみ、記録媒体の排出を実行する。
【０１１２】
この結果、端末手段は、該端末手段からの指示に基いて記録媒体に対してデータの記録及び／又は再生をしているときに、記録媒体が排出されることを予め知ることができるので、装置本体側の主操作手段により不用意に記録媒体が排出されることを防止することができる。
【０１１３】
また、端末手段の指示による端末コマンド処理手段を介しての記録媒体に対するデータの記録及び／又は再生であっても、装置本体は記録媒体の排出を行うことができるので、端末手段側に対して記録媒体のデータの記録及び／又は再生の独占を許すものではない。
【０１１４】
したがって、ネットワーク接続された端末手段の指示によるデータ記録再生動作を、記録媒体の排出により不用意に中断されることを防止するとともに、端末手段による記録媒体の占有を防止し得るデータ記録再生装置を提供することができるという効果を奏する。
【０１１５】
また、本発明のデータ記録再生装置は、上記記載のデータ記録再生装置において、前記装置本体は、放送を受信するチューナーを備えるとともに、前記端末コマンド処理手段の制御によって上記チューナーにて受信したデータを記録媒体に記録する一方、上記端末コマンド処理手段の指示により、記録媒体に対してチューナーにて受信したデータの記録が行われているときに、前記主操作手段からチューナーの選局チャンネルの変更が指示された場合は、上記主コマンド処理手段は上記端末コマンド処理手段に警告を送信するとともに、上記主コマンド処理手段からの警告を受けた端末コマンド処理手段は前記ネットワーク接続手段を介して前記端末手段に上記警告を送信する一方、上記主コマンド処理手段は、上記端末手段が上記端末コマンド処理手段からの警告に応答してチャンネル変更の許可を示すメッセージを送信してきた場合のみ、上記チャンネル変更を実行するものである。
【０１１６】
それゆえ、端末手段は、該端末手段からの指示による端末コマンド処理手段を介しての記録媒体へのチューナーにて受信したデータの記録に対して、チューナーの選局チャンネルの変更が把握できる。また、主コマンド処理手段は、端末手段が上記端末コマンド処理手段からの警告に応答してチャンネル変更の許可を示すメッセージを送信してきた場合のみ、上記主操作手段からのチャンネル変更を実行する。
【０１１７】
この結果、該端末手段からの指示に基いて記録媒体に対してチューナー受信データの記録をしているときに、装置本体側の主操作手段により不用意にチューナーの選局チャンネルが変更されることを防止することができる。
【０１１８】
また、端末手段の指示による端末コマンド処理手段を介しての記録媒体に対するチューナー受信データの記録であっても、装置本体はチューナーの選局チャンネルが変更を行うことができるので、端末手段側に記録媒体に対するチューナー受信データの記録の独占を許すものではない。
【０１１９】
したがって、ネットワーク接続された端末手段の指示による記録媒体に対してのチューナー受信データの記録が不用意に中断されることを防止するとともに、端末手段によるチューナーの占有を防止し得るデータ記録再生装置を提供することができるという効果を奏する。
【図面の簡単な説明】
【図１】本発明におけるビデオ録画再生システムの実施の一形態を示すものであり、主コマンド処理部の動作を示すフローチャートである。
【図２】上記ビデオ録画再生システムの構成を示すブロック図である。
【図３】図１に示す主コマンド処理部の動作における端子Ａ１の動作を示すサブルーチンフローチャートである。
【図４】図１に示す主コマンド処理部の動作における端子Ａ２の動作を示すサブルーチンフローチャートである。
【図５】上記ビデオ録画再生システムにおける端末コマンド処理部の動作を示すフローチャートである。
【図６】図５に示す端末コマンド処理部の動作における端子Ｂ１の動作を示すサブルーチンフローチャートである。
【図７】図６に示す端末コマンド処理部の動作における端子Ｂ２の動作を示すサブルーチンフローチャートである。
【符号の説明】
１    光ディスクドライブ
２    主コマンド処理部（主コマンド処理手段）
３    端末コマンド処理部（端末コマンド処理手段）
４    ネットワーク接続部（ネットワーク接続手段）
５    地上波テレビチューナー（チューナー）
６    ＢＳテレビチューナー（チューナー）
７    動画音声データ生成部
８    本体操作リモコン（主操作手段）
９    モニターディスプレイ
１０    端末装置（端末手段）
１１    端末側リモコン
１２    記録媒体
１３    ビデオ録画システム
１４    アンテナ
【図１】
2004241935.tif 000003
【図２】
2004241935.tif 000004
【図３】
2004241935.tif 000005
【図４】
2004241935.tif 000006
【図５】
2004241935.tif 000007
【図６】
2004241935.tif 000008
【図７】
2004241935.tif 000009